(57)【要約】【課題】ブルートゥースヘッドセットを充電する必要がある場合、それを充電する装置が車内に提供され、当該ブルートゥースヘッドセットを使用しない場合、便利で適切な固定可能の置き場所が車内に用意されるブルートゥースヘッドセット及び充填ホルダーの組み合せ装置の提供。【解決手段】ブルートゥースヘッドセットと、電源と差込接続可能であり本体部分を含む充電ホルダーとを含み、前記充電ホルダーの一端は直流電流に差込接続する電気接続部分であり、別の一端は前記ブルートゥースヘッドセットを固定する挿入キャビティ部分となっており、当該挿入キャビティー部分はブルートゥースヘッドセットの底部の電気接点と整合する電気接点を備える。【選択図】図１
0003160283.tif 000002
【実用新案登録請求の範囲】
【請求項１】
ブルートゥースヘッドセット及び充電ホルダーの組み合わせ装置であって、前記組み合わせ装置はブルートゥースヘッドセットと、電源と差込接続可能であり本体部分を含む充電ホルダーとを含み、前記充電ホルダーの一端は直流電流に差込接続する電気接続部分であり、別の一端は前記ブルートゥースヘッドセットを固定する挿入キャビティー部分となっており、当該挿入キャビティー部分はブルートゥースヘッドセット部分の底部の電気接点と整合する電気接点を備えることを特徴とするブルートゥースヘッドセット及び充電ホルダーの組み合わせ装置。
【請求項２】
前記充電ホルダーの前記電気接続部分は前記挿入キャビティー部分と直接接続し、一体構造になることを特徴とする請求項１に記載のブルートゥースヘッドセット及び充電ホルダーの組み合わせ装置。
【請求項３】
前記充電ホルダーの前記電気接続部分と前記挿入キャビティー部分の間に角度旋回可能な装置を設けることを特徴とする請求項１に記載のブルートゥースヘッドセット及び充電ホルダーの組み合わせ装置。
【請求項４】
前記充電ホルダーの前記電気接続部分は、自動車の１２または２４ボルトの直流電気コンセントに差込接続できる電気プラグであり、前記電気プラグには、１２または２４ボルトの直流電源を前記ブルートゥースヘッドセットで使用可能な電源に変換する変換装置が設けられることを特徴とする請求項１に記載のブルートゥースヘッドセット及び充電ホルダーの組み合わせ装置。
【請求項５】
前記充電ホルダーの前記電気接続部分は標準型ＵＳＢのオスインターフェースであることを特徴とする請求項１に記載のブルートゥースヘッドセット及び充電ホルダーの組み合わせ装置。
【請求項６】
前記ブルートゥースヘッドセットは、イヤホンネックおよびイヤホンヘッドを有するイヤホンを含み、前記ブルートゥースヘッドセットにおける前記イヤホンを備える側の一端は、前記イヤホンネックおよびイヤホンヘッドをブルートゥースヘッドセット本体の軸線に一致するように回転できる回転筒を備えることを特徴とする請求項１に記載のブルートゥースヘッドセット及び充電ホルダーの組み合わせ装置。
【請求項７】
前記ブルートゥースヘッドセットは、イヤホンネックおよびイヤホンヘッドを有するイヤホンを含み、前記ブルートゥースヘッドセットの前記イヤホンネックおよびイヤホンヘッドはブルートゥースヘッドセット本体に対して動かないように固定されており、前記イヤホンネックおよび前記イヤホンヘッドの軸線が前記ブルートゥースヘッドセット本体の軸線と６０°から９０°の角度をなすことを特徴とする請求項１に記載のブルートゥースヘッドセット及び充電ホルダーの組み合わせ装置。
【請求項８】
前記ブルートゥースヘッドセットの底部の前記電気接点はミニＵＳＢメスインターフェースであることを特徴とする請求項１に記載のブルートゥースヘッドセット及び充電ホルダーの組み合わせ装置。
【請求項９】
前記充電ホルダーの前記挿入キャビティー部分の上壁の開口方向が上向きに傾斜しており、その仰角は１０°〜６０°の範囲であることを特徴とする請求項１に記載のブルートゥースヘッドセット及び充電ホルダーの組み合わせ装置。
【請求項１０】
前記充電ホルダーの前記挿入キャビティー部分の底板は浅槽状に外へ延びているとともに、前記浅槽状の底板が低エッジを有し、前記浅槽状底板の外端は前記イヤホンネックを格納し固定する係口および切口を有することを特徴とする請求項１、６または７に記載のブルートゥースヘッドセット及び充電ホルダーの組み合わせ装置。
【請求項１１】
前記電気接続部分と前記挿入キャビティー部分との軸線は９０°から１８０°までの範囲の一定の角度をなすことを特徴とする請求項２、６または７に記載のブルートゥースヘッドセット及び充電ホルダーの組み合わせ装置。
【請求項１２】
前記充電ホルダーの前記挿入キャビティー部分の上壁と前記挿入キャビティー部分の底板はほぼ平行であることを特徴とする請求項１に記載のブルートゥースヘッドセット及び充電ホルダーの組み合わせ装置。
【請求項１３】
前記充電ホルダーの前記本体部分内に、パソコンと情報通信できるＵＳＢ情報記憶装置をさらに設け、前記充電ホルダーの前記本体部分の下部に展開と折り畳みの可能な支持ラックを設けることを特徴とする請求項１に記載のブルートゥースヘッドセット及び充電ホルダーの組み合わせ装置。
【請求項１４】
前記充電ホルダーの前記本体部分の下端に、前記充電ホルダーの縦軸線に対して垂直の回転軸線周りに回転可能な内芯を嵌装する開口部を設けることを特徴とする請求項１に記載のブルートゥースヘッドセット及び充電ホルダーの組み合わせ装置。
【請求項１５】
前記充電ホルダーの前記電気接続部分は前記内芯と互いに接続し、前記開口部の外へ伸びていることを特徴とする請求項１４に記載のブルートゥースヘッドセット及び充電ホルダーの組み合わせ装置。
【請求項１６】
前記充電ホルダーの前記本体部分の下端部分に前記本体部分の縦軸線に対して垂直の切断面をさらに設け、切断面の一側面に回転軸を設け、別の側面に前記回転軸と整合する軸受けキャビティーを設け、前記切断面の両面は互いに合わさりながら９０度回転できることを特徴とする請求項１４に記載のブルートゥースヘッドセット及び充電ホルダーの組み合わせ装置。
【請求項１７】
前記充電ホルダーの前記本体部分の下端部分に位置制限機構をさらに設けることを特徴とする請求項１に記載のブルートゥースヘッドセット及び充電ホルダーの組み合わせ装置。
【請求項１８】
前記充電ホルダーの前記本体部分の下端は、一定の剛さを持つ撓み可能な蛇腹管によって前記充電ホルダーの前記電気接続部分と接続することを特徴とする請求項１に記載のブルートゥースヘッドセット及び充電ホルダーの組み合わせ装置。
【請求項１９】
前記挿入キャビティー部分に備えられ、前記ブルートゥースヘッドセットの底部の電気接点と整合する前記電気接点は、前記ブルートゥースヘッドセットの前記ミニＵＳＢメスインターフェースとぴたりと嵌合するミニＵＳＢオスインターフェースであることを特徴とする請求項８に記載のブルートゥースヘッドセット及び充電ホルダーの組み合わせ装置。
【請求項２０】
前記ブルートゥースヘッドセットに、１００ボルト〜２４０ボルトの交流電源を変圧整流した後の電源を差込接続できる差込接続穴と、ステレオイヤホンを外部接続する差込穴とをさらに設けることを特徴とする請求項１に記載のブルートゥースヘッドセット及び充電ホルダーの組み合わせ装置。
【考案の詳細な説明】
【技術分野】
【０００１】
本考案は、ブルートゥース（Ｂｌｕｅｔｏｏｔｈ）ヘッドセット及びその充電・固定手段の組み合わせ装置に関する。
【背景技術】
【０００２】
無線ヘッドセット装置には従来から、ブルートゥースヘッドセットという製品がある。使用時にヘッドセット部分を耳の穴に入れると、このヘッドセット装置が耳の外に掛かり、手で支える必要がないというものである。これを車内で使用する際、使用者は車内の携帯電話を使用しながら両手で運転することができる。しかし、ブルートゥースヘッドセットを充電する時には、その充電装置を車内に提供する必要があり、また当該ヘッドセットを使用しない時にも、便利で適切な固定可能の置き場所が車内に必要となる。よって、設計の改善が必要であった。
【考案の概要】
【考案が解決しようとする課題】
【０００３】
本考案では、従来技術の不備を解消することを目的とし、ブルートゥースヘッドセット及び充電ホルダーの組み合わせ装置を提供する。
【課題を解決するための手段】
【０００４】
前記組み合わせ装置はブルートゥースヘッドセットと、電源と差込接続可能であり本体部分を含む充電ホルダーとを含み、前記充電ホルダーの一端は直流電流に差込接続する電気接続部分であり、別の一端は前記ブルートゥースヘッドセットを固定する挿入キャビティー部分となっており、当該挿入キャビティー部分はブルートゥースヘッドセット部分の底部の電気接点と整合する電気接点を備える。
【０００５】
本考案に基づくブルートゥースヘッドセット及び充電ホルダーの組み合わせ装置において、前記充電ホルダーの前記電気接続部分は前記挿入キャビティー部分と直接接続し、一体構造になる。
【０００６】
本考案に基づくブルートゥースヘッドセット及び充電ホルダーの組み合わせ装置において、前記充電ホルダーの前記電気接続部分と前記挿入キャビティー部分の間に角度旋回可能な装置を設ける。
【０００７】
本考案に基づくブルートゥースヘッドセット及び充電ホルダーの組み合わせ装置において、前記充電ホルダーの前記電気接続部分は、自動車の１２または２４ボルトの直流電気コンセントに差込接続できる電気プラグであり、前記電気プラグには、１２または２４ボルトの直流電源を前記ブルートゥースヘッドセットで使用可能な電源に変換する変換装置が設けられる。
【０００８】
本考案に基づくブルートゥースヘッドセット及び充電ホルダーの組み合わせ装置において、前記充電ホルダーの前記電気接続部分は標準型ＵＳＢのオスインターフェースである。
【０００９】
本考案に基づくブルートゥースヘッドセット及び充電ホルダーの組み合わせ装置において、前記ブルートゥースヘッドセットは、イヤホンネックおよびイヤホンヘッドを有するイヤホンを含み、前記ブルートゥースヘッドセットにおける前記イヤホンを備える側の一端は、前記イヤホンネックおよびイヤホンヘッドをブルートゥースヘッドセット本体の軸線に一致するように回転できる回転筒を備える。
【００１０】
本考案に基づくブルートゥースヘッドセット及び充電ホルダーの組み合わせ装置において、前記ブルートゥースヘッドセットは、イヤホンネックおよびイヤホンヘッドを有するイヤホンを含み、前記ブルートゥースヘッドセットの前記イヤホンネックおよびイヤホンヘッドはブルートゥースヘッドセット本体に対して動かないように固定されており、前記イヤホンネックおよび前記イヤホンヘッドの軸線が前記ブルートゥースヘッドセット本体の軸線と６０°から９０°の角度をなす。
【００１１】
本考案に基づくブルートゥースヘッドセット及び充電ホルダーの組み合わせ装置において、前記ブルートゥースヘッドセットの底部の前記電気接点はミニＵＳＢメスインターフェースである。
【００１２】
本考案に基づくブルートゥースヘッドセット及び充電ホルダーの組み合わせ装置において、前記充電ホルダーの前記挿入キャビティー部分の上壁の開口方向が上向きに傾斜しており、その仰角は１０°〜６０°の範囲である。
【００１３】
本考案に基づくブルートゥースヘッドセット及び充電ホルダーの組み合わせ装置において、前記充電ホルダーの前記挿入キャビティー部分の底板は浅槽状に外へ延びているとともに、前記浅槽状の底板が低エッジを有し、前記浅槽状底板の外端は前記イヤホンネックを格納し固定する係口および切口を有する。
【００１４】
本考案に基づくブルートゥースヘッドセット及び充電ホルダーの組み合わせ装置において、前記電気接続部分と前記挿入キャビティー部分との軸線は９０°から１８０°までの範囲の一定の角度をなす。
【００１５】
本考案に基づくブルートゥースヘッドセット及び充電ホルダーの組み合わせ装置において、前記充電ホルダーの前記挿入キャビティー部分の上壁と前記挿入キャビティー部分の底板はほぼ平行である。
【００１６】
本考案に基づくブルートゥースヘッドセット及び充電ホルダーの組み合わせ装置において、前記充電ホルダーの前記本体部分内に、パソコンと情報通信できるＵＳＢ情報記憶装置をさらに設け、前記充電ホルダーの前記本体部分の下部に展開と折り畳みの可能な支持ラックを設ける。
【００１７】
本考案に基づくブルートゥースヘッドセット及び充電ホルダーの組み合わせ装置において、前記充電ホルダーの前記本体部分の下端に、前記充電ホルダーの縦軸線に対して垂直の回転軸線周りに回転可能な内芯を嵌装する開口部を設ける。
【００１８】
本考案に基づくブルートゥースヘッドセット及び充電ホルダーの組み合わせ装置において、前記充電ホルダーの前記電気接続部分は前記内芯と互いに接続し、前記開口部の外へ伸びている。
【００１９】
本考案に基づくブルートゥースヘッドセット及び充電ホルダーの組み合わせ装置において、前記充電ホルダーの前記本体部分の下端部分に前記本体部分の縦軸線に対して垂直の切断面をさらに設け、切断面の一側面に回転軸を設け、別の側面に前記回転軸と整合する軸受けキャビティーを設け、前記切断面の両面は互いに合わさりながら９０度回転できる。
【００２０】
本考案に基づくブルートゥースヘッドセット及び充電ホルダーの組み合わせ装置において、前記充電ホルダーの前記本体部分の下端部分に位置制限機構をさらに設ける。
【００２１】
本考案に基づくブルートゥースヘッドセット及び充電ホルダーの組み合わせ装置において、前記充電ホルダーの前記本体部分の下端は、一定の剛さを持つ撓み可能な蛇腹管によって前記充電ホルダーの前記電気接続部分と接続する。
【００２２】
本考案に基づくブルートゥースヘッドセット及び充電ホルダーの組み合わせ装置において、前記挿入キャビティー部分に備えられ、前記ブルートゥースヘッドセットの底部の電気接点と整合する前記電気接点は、前記ブルートゥースヘッドセットの前記ミニＵＳＢメスインターフェースとぴたりと嵌合するミニＵＳＢオスインターフェースである。
【００２３】
本考案に基づくブルートゥースヘッドセット及び充電ホルダーの組み合わせ装置において、前記ブルートゥースヘッドセットに、１００ボルト〜２４０ボルトの交流電源を変圧整流した後の電源を差込接続できる差込接続穴と、ステレオイヤホンを外部接続する差込穴とをさらに設ける。
【考案の効果】
【００２４】
本考案のブルートゥースヘッドセット及び充電ホルダーの組み合わせ装置では、当該ブルートゥースヘッドセットを充電する必要がある場合、それを充電する装置が車内に提供され、当該ブルートゥースヘッドセットを使用しない場合、便利で適切な固定可能の置き場所が車内に用意される。また、当該組み合わせ装置は構造が簡単で、利便性に富む。
【図面の簡単な説明】
【００２５】
【図１Ａ−１Ｃ】本考案のブルートゥースヘッドセット及び充電ホルダーの組み合わせ装置の第１実施形態を示す図である。図１Ａは組み合わせ装置の分解斜視図であり、図１Ｂは図１Ａにおける挿入キャビティーのＡ−Ａ矢視図であり、図１Ｃは図１Ａにおけるブルートゥースヘッドセットの底部のＢ−Ｂ矢視図である。
【図２Ａ−２Ｃ】本考案のブルートゥースヘッドセット及び充電ホルダーの組み合わせ装置の第２実施形態を示す図である。図２Ｂおよび図２Ｃはそれぞれ図１Ｂおよび図１Ｃと同一である。
【図３Ａ−３Ｄ】本考案のブルートゥースヘッドセット及び充電ホルダーの組み合わせ装置の第３実施形態を示す図である。図３Ｂは図３Ａにおける挿入キャビティーのＡ’−Ａ’矢視図であり、図３Ｃは図３Ａにおけるブルートゥースヘッドセットの底部のＢ’−Ｂ’矢視図であり、図３Ｄは図３ＡにおけるブルートゥースヘッドセットのＣ−Ｃ矢視図である。
【図４Ａ−４Ｄ】本考案のブルートゥースヘッドセット及び充電ホルダーの組み合わせ装置の第４実施形態を示す図である。図４Ｂ、図４Ｃおよび図４Ｄはそれぞれ図３Ｂ、図３Ｃおよび図３Ｄと同一である。
【図５Ａ−５Ｂ】本考案の第３実施形態のブルートゥースヘッドセット及び充電ホルダーの組み合わせ装置の使用方法を示す図である。図５Ａは第一の使用方法を示す図であり、図５Ｂは第二の使用方法を示す図である。
【図６Ａ−６Ｂ】本考案のブルートゥースヘッドセット及び充電ホルダーの組み合わせ装置の第５実施形態およびその使用方法を示す図である。図６Ａは組み合わせ装置とその第一の使用方法を示し、図６Ｂは組み合わせ装置とその第二の使用方法を示している。
【図７Ａ−７Ｂ】本考案のブルートゥースヘッドセット及び充電ホルダーの組み合わせ装置の第７実施形態の充電ホルダーを示す図である。図７Ａは充電ホルダーの俯瞰図であり、図７Ｂは充電ホルダーの正面図である。
【図８Ａ−８Ｂ】本考案のブルートゥースヘッドセット及び充電ホルダーの組み合わせ装置の第７実施形態のブルートゥースヘッドセットを示す図である。図８Ａはブルートゥースヘッドセットの俯瞰図であり、図８Ｂはブルートゥースヘッドセットの正面図である。
【図９】本考案のブルートゥースヘッドセット及び充電ホルダーの組み合わせ装置の第７実施形態において、ブルートゥースヘッドセットを充電ホルダーに固定する様子を示す図である。
【図１０Ａ−１０Ｂ】本考案のブルートゥースヘッドセット及び充電ホルダーの組み合わせ装置の第８実施形態の充電ホルダーを示す図である。そのうち、図１０Ａは充電ホルダーの俯瞰図であり、図１０Ｂは充電ホルダーの正面図である。
【図１１Ａ−１１Ｂ】本考案のブルートゥースヘッドセット及び充電ホルダーの組み合わせ装置の第８実施形態において、ブルートゥースヘッドセットを充電ホルダーに固定する様子を示す図である。図１１Ａは固定過程の第１ステップを示し、図１１Ｂは固定過程の第２ステップを示している。
【図１２Ａ−１２Ｃ】本考案のブルートゥースヘッドセット及び充電ホルダーの組み合わせ装置の第９実施形態を示す図である。図１２Ａは組み合わせ装置の分解斜視図であり、図１２Ｂは図１２Ａにおける挿入キャビティーのＡ−Ａ矢視図であり、図１２Ｃは図１２Ａにおけるブルートゥースヘッドセットの底部のＢ−Ｂ矢視図である。
【図１３】本考案のブルートゥースヘッドセット及び充電ホルダーの組み合わせ装置の第１０実施形態の充電ホルダーを示す図である。
【図１４Ａ−１４Ｂ】本考案のブルートゥースヘッドセット及び充電ホルダーの組み合わせ装置の第１１実施形態の充電ホルダーを示す図である。図１４Ａは充電ホルダーの斜視図であり、図１４Ｂは充電ホルダーの底部のＣ−Ｃ矢視図である。
【図１５】本考案のブルートゥースヘッドセット及び充電ホルダーの組み合わせ装置の第１２実施形態の充電ホルダーを示す図である。
【考案を実施するための形態】
【００２６】
以下に添付図面を参照しながら、本考案の実施形態について具体例とともに詳細に説明する。
【００２７】
図１Ａ乃至図１Ｃは、本考案のブルートゥースヘッドセット及び充電ホルダーの組み合わせ装置の第１実施形態を示す。図１Ａでは、図面符号１として充電ホルダーを示し、図面符号２として、充電ホルダーと組み合わせて用いられるブルートゥースヘッドセットを示している。充電ホルダー１の一端に、車内の１２または２４ボルトの直流電気コンセントに差込接続できる電気プラグ１１を設ける。この電気プラグ１１には、正極１４、負極１３、電気スイッチ１２及び内蔵の変換装置３９を配設する。この変換装置は、１２または２４ボルトの直流電源をブルートゥースヘッドセットで使用可能な電源に変換するためのものである。一方、充電ホルダー１の別の一端は、ブルートゥースヘッドセット２の下端を挿入して固定するための挿入キャビティー１０となっている。この挿入キャビティー１０は切断面がブルートゥースヘッドセット２の切断面と互いに整合するような筒形部分であり、図１Ｂと１Ｃに示すように、当該筒形部分の底端に、ブルートゥースヘッドセット２の下端の電気接点２７と整合する一対の電気接点１７を備える。図面符号９は挿入キャビティー１０の上壁を示す。前記電気プラグ１１と挿入キャビティー１０の端部は筒体４１を介して接続し、筒体４１の両端につまみ４２を設ける。つまみ４２は、使用空間に合わせて使いやすいように、図面における双方向弧形矢印が示すような形で、電気プラグ１１と挿入キャビティー１０が一定の角度となるまで筒体４１を回転させることができる。ブルートゥースヘッドセット２は本体２８、スイッチ２３、表示灯２４、音量つまみ２５、充電差込穴２６及び一対の充電電気接点２７を備え、またイヤホンネック２１及びイヤホンヘッド２２を備える。車内で使用しない場合、ブルートゥースヘッドセットは充電差込穴２６によってその他の電源装置を用いて充電される。イヤホンネック２１及びイヤホンヘッド２２は回転筒３０に接続され、また支持部２９によって支持されて、回転可能となる。図面において双方向弧形矢印で示したように、イヤホンネック２１及びイヤホンヘッド２２は使用時に外へ回転し、耳の穴に入れられるようになる。不使用時には図中に示す位置まで回転し、収納される。挿入キャビティー１０の切断面がブルートゥースヘッドセットの切断面と互いに整合し、かつ挿入可能でさえあるならば、ブルートゥースヘッドセット２は固定クリップを有するタイプ（図示せず）でもよい。図１Ａにおける点線は当該ブルートゥースヘッドセット２が挿入キャビティー１０に挿入される時、一対の電気接点２７が一対の電気接点１７と接触し通電することによって、充電という目的を達するということを示す。
【００２８】
図２Ａ乃至図２Ｃは、本考案のブルートゥースヘッドセット及び充電ホルダーの組み合わせ装置の第２実施形態を示す。図２Ａでは、図１Ａの充電ホルダー１が充電ホルダー１’に変更され、電気プラグ１１が標準型ＵＳＢオスインターフェース４３に変更されている。当該標準型ＵＳＢオスインターフェースは接続部４０を介して筒体４１’と接続し、前記筒体４１’の両端はつまみ４２’となっている。図中のその他の部分は図１Ａと同一であり、図面符号の示すものも同一であるため、ここでは重複説明を避ける。ＵＳＢオスインターフェース４３はパソコン（とりわけ、ノートパソコン）のＵＳＢメスインターフェースに挿入し、パソコンの電源を利用してブルートゥースヘッドセットを充電するためのものである。
【００２９】
図３Ａ乃至図３Ｄは、本考案のブルートゥースヘッドセット及び充電ホルダーの組み合わせ装置の第３実施形態を示す。図３Ａでは、図１Ａの充電ホルダー１が充電ホルダー１’’に変更されたが、電気プラグ１１及び筒体４１は変更されていない。挿入キャビティー１０’の上壁９’の開口方向は上向きに傾斜して１０°〜６０°の範囲の仰角をなし、また、挿入キャビティー１０の底板が外へ延びて浅槽１６となる。浅槽１６は低エッジ１５を有し、浅槽１６と低エッジ１５はブルートゥースヘッドセット２’の本体２８’を固定する役割を果たす。浅槽１６の外端は係口１８及び切口１９を形成し、当該係口及び当該切口はブルートゥースヘッドセット２’のイヤホンネック２１’及びイヤホンヘッド２２’を収納し固定するのに用いられる。第３実施形態のブルートゥースヘッドセット２’は第１、２実施形態と異なり、イヤホンネック２１’及びイヤホンヘッド２２’が固定されており回転せず、またその軸線と本体２８‘の軸線とが６０°〜９０°の範囲の一定の角度をなすことで、使用者の耳と顔の形状に合うようしている。係口１８及び切口１９の縁には軟質材料（例えば発泡ゴム）２０をはめ込み、軟質材料２０の弾性によってイヤホンネック２１’を固定する。図中のその他の図面符号の示すもの上記と同一である。図３Ａにおける二本の点線は、ブルートゥースヘッドセット２’が挿入キャビティー１０’に挿入されるとき、一対の電気接点２７が一対の電気接点１７と接触し通電することにより充電という目的を達するとともに、イヤホンネック２１’が係口１８に係合して固定されることを示す。
【００３０】
図４Ａ乃至図４Ｄは、本考案のブルートゥースヘッドセット及び充電ホルダーの組み合わせ装置の第４実施形態を示す。図４Ａでは、図３Ａの充電ホルダー１’’が充電ホルダー１’’’に変更されている。第４実施形態と第３実施形態の相違点は、電気プラグ１１が標準型ＵＳＢオスインターフェース４３に替わったことのみであり、パソコン（とりわけ、ノートパソコン）を用いてブルートゥースヘッドセット２’を充電している。図中のその他の符号の示すものは上記と同一である。
【００３１】
図５Ａと図５Ｂは、第３実施形態の組み合わせ装置の二つの使用方法を示す。図５Ａは、ブルートゥースヘッドセット２’の縁を上壁９’に沿って傾けて挿入してから、図５Ｂに示すように下方へ押さえ（図中の弧形矢印で示している）イヤホンヘッド２２’及びイヤホンネック２１’を係口１８に差し込んで固定することを示す。他の方法として、図５Ｂ右方の水平方向の矢印で示したように、イヤホンネック２１’が切口１９を乗り越えて係口１８に入り込む形でもよい。上記二つの方法どちらによっても、電気接点２７が電気接点１７と接触し充電するという目的を達することができる。図中のその他の符号の示すものは上記と同一である。
【００３２】
第４実施形態は図５Ａと図５Ｂに示す挿入過程と類似しており、左方の電気プラグ１１がＵＳＢオスインターフェース４３に替わるのみである。よって、図による説明は省略する。
【００３３】
図６Ａ及び図６Ｂは、本考案のブルートゥースヘッドセット及び充電ホルダーの組み合わせ装置の第５実施形態を示す。図６Ａ及び図６Ｂに示すように、電気接続部分（図中では、標準型ＵＳＢオスインターフェース４３を例として説明している）と挿入キャビティー部分は接続して一体構造になっており、両者の間には前記筒体やつまみが設けられず、使用時に一定の角度まで回転する必要がない。こうして製造された製品は構造が簡単であるとともに、体積が小さく、コストも低い。図中に示すこの二つの部分は同一の軸線上で直接接続する。言うまでも無く、電気接続部分と挿入キャビティー部分が一定の角度をなすように製造して、使用者による差し込みと抜き出しの利便性を高めることもできる（図示せず）。上記角度は９０°〜１８０°の範囲であればよい。その使用方法は、図５Ａ及び図５Ｂを参照しながら説明した内容と同一である。また、図中のその他の符号の示すものも上記と同一である。同様の理由から、ＵＳＢオスインターフェースを、前に述べたような車内の１２または２４ボルトの直流電源に差込接続する電気プラグ１１に替えれば、本考案のブルートゥースヘッドセット及び充電ホルダーの組み合わせ装置の第６実施形態になる。
【００３４】
図７Ａ及び図７Ｂは、本考案のブルートゥースヘッドセット及び充電ホルダーの組み合わせ装置の第７実施形態の充電ホルダーを示す。図７Ａ及び図７Ｂで、図面符号２１１は第７実施形態の充電ホルダーの電気プラグ部分を示す。電気プラグ部分２１１に、車内の直流電気コンセントと通電する負極２１３と正極２１４、電源スイッチ２１２を設け、電気プラグ部分２１１の内部に、１２または２４ボルトの直流電源をヘッドセットが使用可能な電源に変換する変換装置を設ける（図示せず）。図面符号２１６はほぼ平面状をなす浅槽を示し、浅槽２１６の両側には低エッジ２１５がある。電気プラグ部分２１１の付近に、無線ヘッドセット２０２の底部を挿入し固定するのに用いられる挿入キャビティー２１０を設ける。挿入キャビティー２１０に、浅槽２１６の底面とほぼ平行の上壁２０９を設ける。挿入キャビティー２１０の最深底面に、電源変換後に無線ヘッドセットを充電する電気接点２１７を設ける。浅槽２１６の最外端（図の最右端）に、ヘッドセットのイヤホンネック２２１を押さえて固定するための係口２１８を設ける。係口２１８の最外端に切口２１９を設け、当該切口によってヘッドセットのイヤホンネック２２１を係口２１８の中に位置決めする。係口２１８及び切口２１９の縁に軟質材料（例えばフォームラバーまたはその他の軟質材料）からなるエッジ２２０がはめこんであり、エッジ２２０の弾性によってイヤホンネック２２１が切口２１９をくぐり抜けて係口２１８に固定される。図７Ｂから、挿入キャビティー２１０の上壁２０９は浅槽２１６の底面とほぼ平行であることがわかる。
【００３５】
図８Ａ及び図８Ｂは、それぞれ第７実施形態におけるブルートゥースヘッドセット２０２の俯瞰図と正面図を示す。ここで図面符号２２８はブルートゥースヘッドセット２０２の本体を示す。その他、ブルートゥースヘッドセット２０２はイヤホンヘッド２２２、イヤホンネック２２１、スイッチ２２３、表示灯２２４、音量つまみ２２５と充電差込穴２２６をさらに備える。ブルートゥースヘッドセットを車内で使用するのではない場合、１００ボルト〜２４０ボルトの交流電源をヘッドセットの使用可能な電源に変換する装置を用いて（図示せず）充電することができる。図面符号２２７は充電電気接点を示し、ブルートゥースヘッドセットを図７Ａ及び図７Ｂに示す充電ホルダー２０１に固定すると、充電電気接点２２７と電気接点２１７が通電して充電をする。
【００３６】
図９では、まず図８Ｂに示すような形で、ヘッドセット２０２の本体２２８を図７Ｂに示す浅槽２１６に載せて両側の低エッジ２１５の間に挟み、その後、長い矢印で示す方向に内側へ押して、ヘッドセット２０２の底部を挿入キャビティー２１０に入れ込み、奥まで押して固定する。このとき、ヘッドセット２０２のイヤホンネック２２１は切口２１９をくぐり抜けて係口２１８まで押し出され、固定される。また、このとき、電気接点２２７と電気接点２１７が電気接続することにより、ヘッドセットを充電できるようになる。
【００３７】
図１０Ａ及び図１０Ｂは、本考案のブルートゥースヘッドセット及び充電ホルダーの組み合わせ装置の第８実施形態の充電ホルダーを示す。本実施例におけるブルートゥースヘッドセットは、図８Ａ及び図８Ｂに示すような第７実施形態のものと同一である。
【００３８】
第７実施形態との比較における変更点は、電気プラグ部分２１１を２１１’に、挿入キャビティー２１０を２１０’に、挿入キャビティー上壁２０９を２０９’に変更したという点である。図１０Ｂから分かるように、上壁２０９’は浅槽２１６の平面と平行ではなく、傾斜角Ａをなす。傾斜角Ａは一般に１０°〜６０°の範囲であり、好ましくは約４０°である。図中のその他の符号の示すものは上記と同一である。
【００３９】
図９に示すような方法でブルートゥースヘッドセット２０２と充電ホルダー２０１’を組み合わせて一体構造にする以外に、図１１Ａ及び図１１Ｂに示すような二つのステップに分けて操作することもできる。まず、図１１Ａに示すように、ブルートゥースヘッドセット２０２の底部を上壁２０９’に沿って傾けて挿入キャビティー２１０’の底部に挿入し（このとき、上壁２０９’が傾斜角をなすことから、ヘッドセットのイヤホンヘッド２２２は浅槽２１６に接触しない）、それから図１１Ａの矢印方向に下方へ押すことで、イヤホンヘッド２２２が係口２１８を通り抜け、イヤホンネック２２１がぴたりと係口２１８に収まる。それと同時に、ヘッドセット本体２２８が浅槽２１６に収まって固定される。また、電気接点２２７は同様に電気接点２１７と通電する。
【００４０】
図１２Ａ乃至図１２Ｃは、本考案のブルートゥースヘッドセット及び充電ホルダーの組み合わせ装置の第９実施形態を示す。図１２Ａのうち、左図は充電ホルダー３０１を示し、右図はブルートゥースヘッドセット３０２を示す。充電ホルダー３０１の本体３０３はブルートゥースヘッドセット３０２を収納できる挿入キャビティー部分を備え、当該挿入キャビティー部分の底板３０５は浅槽状に外へ伸びている。底板３０５の上端にはイヤホン３１２を入れ込む切口３０４があり、挿入キャビティーにブルートゥースヘッドセット３０２の下部を包むカバー板３０６を設ける。挿入キャビティーの底部にミニＵＳＢオスインターフェース３０７を設ける。充電ホルダー３０１の下端は隆起しており、必要となる導線と電子部品を格納できるようになっている。また、当該下端からは標準型ＵＳＢオスインターフェース３０８が連続して伸びている。当該ＵＳＢオスインターフェース３０８を水平方向に配置する場合、充電ホルダー本体３０３は上向きに反り返るような角度をなす。この角度は５°〜４５°の範囲であればよい。また、当該充電ホルダー本体の下部に、展開と折り畳みの可能な支持ラック３０９を設ける。図１２Ｃに示すように、ブルートゥースヘッドセット３０２の下端にミニＵＳＢメスインターフェース３０７’を設ける。
【００４１】
図１２Ａに点線で示したように、使用時には、ブルートゥースヘッドセット３０２を充電ホルダー３０１の上端から挿入キャビティー部分の底板３０５の中に入れて下方へ滑らせ、ブルートゥースヘッドセット３０２の底部のミニＵＳＢメスインターフェース３０７’を底板３０５の底部のミニＵＳＢオスインターフェース３０７に差込接続する。これと同時に、イヤホン３１２が切口３０４に収まる。それから、底端の標準型ＵＳＢオスインターフェース３０８によって、組み合わせ装置全体をパソコンの標準型ＵＳＢメスインターフェースに差込接続する。この目的は、（１）パソコンを電源とし、無線ヘッドセット内のバッテリを充電する、（２）パソコンと無線ヘッドセットとの間で情報通信を行うという二点である。
【００４２】
ブルートゥースヘッドセット３０２の表面に充電差込穴３１０をさらに設ける。パソコンがない場合にも、室内の１００ボルト〜２４０ボルトの交流電源を変圧・整流することによって、当該充電差込穴を用いて電池を充電することができる。図面符号３１１は外付けのイヤホン差込穴を示し、使用者は当該イヤホン差込穴に音楽用のステレオイヤホンを差込接続することができる。その他、必須のスイッチ、表示灯、操作ボタンなどがブルートゥースヘッドセット３０２には設けられる（図示せず）。
【００４３】
充電ホルダー３０１は例えば、その下部の隆起部分にＵＳＢ情報記憶装置（図示せず）を設けて、接続したパソコンと情報通信できるようにしてもよい。必要あれば、充電ホルダーの表面に操作ボタンを設ける（図示せず）。
【００４４】
また、本実施例に基づいて様々な変更例を考案することもできる。例えば、切口３０４の外口部に一定の弾力を持つクランプ口を備えてもよい。イヤホン３１２はこのクランプ口をくぐり抜けて固定される。また、挿入キャビティー部分の底板３０５の切断面は他の形状であってもよいが、ブルートゥースヘッドセット３０２の切断面と整合するようになっていなければならない。更に、充電ホルダー３０１の本体３０３の下端部は他の外形形状であってもよい（図示せず）。
【００４５】
図１３は、本考案のブルートゥースヘッドセット及び充電ホルダーの組み合わせ装置の第１０実施形態の充電ホルダーを示す。充電ホルダー３０１’の下端の隆起部分を、充電ホルダー３０１’の軸線と垂直をなすような軸線を持つ円筒形部分となるようにし、当該円筒形部分の下端方向に開口部３２１を設ける。円筒形部分内部に円筒形内芯３２２を設け、標準型ＵＳＢオスインターフェース３０８は内芯３２２と接続し、開口部３２１の外へ延びている。これにより、標準型ＵＳＢオスインターフェース３０８は図面における双方向矢印で示したように、充電ホルダー３０１’の隆起部分の軸線周りに回転することができ、接続先パソコンの標準型ＵＳＢメスインターフェース付近の空間に合わせて、適切な角度に調節することができる。図中のその他の符号の示すものは上記と同一である。
【００４６】
本実施形態に関しては、本構想に基づいて様々な変更例が考案できる。例えば、上記充電ホルダー３０１’下端の隆起部分の外枠に開口部を設けを開き、内部の内芯によって回転するようにしたり、内芯と本体部分３０３を接続し、外枠部分によって回転するように変更することもできる。また、回転可能の内芯の一端または両端を外枠の外に露出させたり、露出部分をつまみ状にしてもよい（図示せず）。
【００４７】
図１４Ａ及び図１４Ｂは、本考案のブルートゥースヘッドセット及び充電ホルダーの組み合わせ装置の第１１実施形態の充電ホルダーを示す。図１４Ａに示すように、充電ホルダー３０１’’下端の隆起部分に、充電ホルダーの縦軸線と垂直をなす一対の切断面３３１及び３３１’をさらに設ける。切断面３３１及び３３１’は互いに引き離されたり合わさったりし、そのうちの一方の面に回転軸を設け、他方の面に当該回転軸を受ける軸受けキャビティーを設ける（両者はいずれも図面に示されていない）。これにより、図における双方向矢印で示すように、面３３１及び面３３１’は相対的に回転することができる。一般には、面３３１及び面３３１’に位置制限（角度制限）機構を設け、例えば９０°まで回転可能な機構に制限する（図示せず）。このように、開口部３２１から伸びている標準型ＵＳＢオスインターフェース３０８は、パソコン上のＵＳＢメスインターフェース付近の空間状況に合わせて回転できるようになっている。図中のその他の符号の示すものは上記と同一である。
【００４８】
図１４Ｂは、図１４Ａにおける充電ホルダーの底部のＣ−Ｃ矢視図であり、切断面３３１及び３３１’が合わさった状態で、図における双方向矢印で示すように相対的に回転することができることを示す。図中のその他の符号の示すものは上記と同一である。
【００４９】
本実施形態に関しては、本構想に基づいて様々な変更例が考案できる。例えば、切断面を回転したり合わせたりしやすいように、充電ホルダー３０１’’下端の隆起部分の切断面を円形または角を丸めた正方形などにすることができる（図示せず）。
【００５０】
図１５は、本考案のブルートゥースヘッドセット及び充電ホルダーの組み合わせ装置の第１２実施形態の充電ホルダーを示す。図１５では、充電ホルダー３０１’’’下端の標準型ＵＳＢオスインターフェース３０８’は直接接続されているのではない。充電ホルダー３０１’’’下端から蛇腹管３４１（すなわち、螺旋状外皮からなり一定の硬さを持つ湾曲可能の管である）が伸び、各導線は当該蛇腹管内を通り抜ける。また、当該蛇腹管の他の一端が標準型ＵＳＢオスインターフェース３０８’に接続する。このようにすることで、充電ホルダー３０１’’’をパソコンに差込接続する場合に、パソコン上の標準型ＵＳＢメスインターフェースの方向や周囲空間の狭さにかかわりなく、充電ホルダー３０１’’’を差込接続し、一定の位置に固定する際の利便性を確保することができる。図中のその他の符号の示すものは上記と同一である。
【００５１】
本考案ブルートゥースヘッドセット及び充電ホルダーの組み合わせ装置の第９〜１２実施形態において、ブルートゥースヘッドセット３０２の底部はミニＵＳＢメスインターフェース３０７’に替えて、一対の導電接点（図示せず）とすることができる。また、挿入キャビティー部分の底部もミニＵＳＢオスインターフェース３０７に替えて、前記一対の導電接点と対応する一対の導電接点（図には示していない）とすることができる。このとき、装置全体の性能は、車内の１２Ｖまたは２４Ｖ直流電源のみを電源としてブルートゥースヘッドセット３０２内の電池を充電するものに縮小されることになる。
【００５２】
以上、本考案の実施形態について具体例とともに詳細に説明したが、この考案は上記の各実施形態に限定されるものではない。添付の特許請求の範囲で限定する請求範囲内で、本考案に様々な変更を加えることができる。
【図１Ａ】
0003160283.tif 000003
【図１Ｂ】
0003160283.tif 000004
【図１Ｃ】
0003160283.tif 000005
【図２Ａ】
0003160283.tif 000006
【図２Ｂ】
0003160283.tif 000007
【図２Ｃ】
0003160283.tif 000008
【図３Ａ】
0003160283.tif 000009
【図３Ｂ】
0003160283.tif 000010
【図３Ｃ】
0003160283.tif 000011
【図３Ｄ】
0003160283.tif 000012
【図４Ａ】
0003160283.tif 000013
【図４Ｂ】
0003160283.tif 000014
【図４Ｃ】
0003160283.tif 000015
【図４Ｄ】
0003160283.tif 000016
【図５Ａ】
0003160283.tif 000017
【図５Ｂ】
0003160283.tif 000018
【図６Ａ】
0003160283.tif 000019
【図６Ｂ】
0003160283.tif 000020
【図７Ａ】
0003160283.tif 000021
【図７Ｂ】
0003160283.tif 000022
【図８Ａ】
0003160283.tif 000023
【図８Ｂ】
0003160283.tif 000024
【図９】
0003160283.tif 000025
【図１０Ａ】
0003160283.tif 000026
【図１０Ｂ】
0003160283.tif 000027
【図１１Ａ】
0003160283.tif 000028
【図１１Ｂ】
0003160283.tif 000029
【図１２Ａ】
0003160283.tif 000030
【図１２Ｂ】
0003160283.tif 000031
【図１２Ｃ】
0003160283.tif 000032
【図１３】
0003160283.tif 000033
【図１４Ａ】
0003160283.tif 000034
【図１４Ｂ】
0003160283.tif 000035
【図１５】
0003160283.tif 000036